(57)【要約】【課題】環境に対して悪影響を与えることなく、且つ十分な強度を持つ蓋閉鎖用紐掛け具を提供する。【解決手段】蓋を閉じるために用いられて、裏面に接着層１３、２３を有する張付基材１２、２２と、該張付基材１２、２２の表側と中心部において付着されて重ね合わされた掛止盤１６、２６と、からなる一対の紐掛け具１０、２０からなり、一方の紐掛け具１０は、張付基材１２と掛止盤１６との間に掛け紐３２が一緒に付着されてなり、張付基材１２、２２及び掛止盤１６、２６は、生分解性エマルジョンからなるコーティング層１４、１７が形成された紙からなり、張付基材１２、２２及び掛止盤１６、２６とは、生分解性エマルジョンのコーティング層１４、１７、２４、２７同士が高周波ウエルダによって接着されることにより、結合されてなる。【選択図】  図２
2004167960.tif 000002
【特許請求の範囲】
【請求項１】
蓋を閉じるために用いられて、裏面に接着層を有する張付基材と、該張付基材の表側と中心部において付着されて重ね合わされた掛止盤と、からなる一対の紐掛け具からなり、一方の紐掛け具は、前記張付基材と掛止盤との間に掛け紐が一緒に付着されてなる蓋閉鎖用紐掛け具において、
少なくともいずれかの紐掛け具の前記張付基材及び掛止盤は、生分解性エマルジョンからなるコーティング層が形成された紙からなり、張付基材及び掛止盤とは、生分解性エマルジョンのコーティング層同士が高周波ウエルダによって接着されることにより、結合されてなるものである蓋閉鎖用紐掛け具。
【請求項２】
蓋を閉じるために用いられて、裏面に接着層を有する張付基材と、該張付基材の表側と中心部において付着されて重ね合わされた掛止盤と、からなる一対の紐掛け具からなり、一方の紐掛け具は、前記張付基材と掛止盤との間に掛け紐が一緒に付着されてなる蓋閉鎖用紐掛け具において、
少なくともいずれかの紐掛け具の前記張付基材及び掛止盤は、生分解性プラスチックまたは生分解性プラスチックと紙とが接着層を介して重ね合わされたものからなり、張付基材及び掛止盤とは、生分解性プラスチック同士が高周波ウエルダによって接着されることにより、結合されてなるものである蓋閉鎖用紐掛け具。
【請求項３】
蓋を閉じるために用いられて、裏面に接着層を有する張付基材と、該張付基材の表側と中心部において付着されて重ね合わされた掛止盤と、からなる一対の紐掛け具からなり、一方の紐掛け具は、前記張付基材と掛止盤との間に掛け紐が一緒に付着されてなる蓋閉鎖用紐掛け具において、
少なくともいずれかの紐掛け具の前記張付基材及び掛止盤のいずれか一方は、生分解性プラスチックまたは生分解性プラスチックと紙とが接着層を介して重ね合わされたものからなり、前記張付基材及び掛止盤の他方は、生分解性エマルジョンからなるコーティング層が形成された紙からなり、張付基材及び掛止盤とは、生分解性プラスチックと生分解性エマルジョンのコーティング層とが高周波ウエルダによって接着されることにより、結合されてなるものである蓋閉鎖用紐掛け具。
【請求項４】
請求項１ないし３のいずれかに記載の蓋閉鎖用紐掛け具の製造方法であって、
剥離紙によってその接着層が保護された第１のシートを用意し、その第１のシートから張付基材となる部分以外を除去して、電極板に載置する工程と、
前記張付基材となる部分に対して必要に応じてその中心部に掛け紐を載置する工程と、
第２のシートを用意し、掛止盤となる部分に切れ込みを入れて、該第２のシートを、第１のシートの上に張付基材となる部分と掛止盤となる部分の中心部を合わせて載置する工程と、
第２のシートの上から、張付基材となる部分と掛止盤となる部分の中心部に電極を当てて、高周波ウエルダを行って中心部を接着する工程と、
前記第２のシートから掛止盤以外の部分を除去する工程と、
からなる蓋閉鎖用紐掛け具の製造方法。
【発明の詳細な説明】
【０００１】
【発明の属する技術分野】
本発明は、大型封筒、書類袋またはボール箱等における蓋を閉じるために用いる蓋閉鎖用紐掛け具に関する。
【０００２】
【従来の技術】
従来の蓋閉鎖用紐掛け具としては、裏面に接着層を有する張付基材と、該張付基材の表側と中心部において付着されて重ね合わされた掛止盤と、からなる一対の紐掛け具からなり、一方の紐掛け具は、前記張付基材と掛止盤との間に掛け紐が一緒に付着されてなるものが一般的に知られている。そして、この張付基材及び掛止盤は塩化ビニールのような熱可塑性合成樹脂製シートからなり、熱可塑性合成樹脂製シート同士を高周波ウエルダにより接着させることにより、張付基材と掛止盤の中心部が付着される。紐付き紐掛け具の場合には、同時に掛け紐が張付基材と掛止盤の中心部において結合される（例えば、特許文献１、特許文献２参考。）。
【０００３】
【特許文献１】
特公平６−４５２０３号公報（第４欄第１０行〜第２２行）
【特許文献２】
特公平５−６０７８５号公報（第３欄第１９行〜第４欄第１行）
【０００４】
【発明が解決しようとする課題】
この蓋閉鎖用紐掛け具はその多くが、大型封筒、書類袋またはボール箱等の紙製の本体に接着されて使用される。しかしながら、従来の蓋閉鎖用紐掛け具が合成樹脂製であるため、使用後に廃棄する際には、紙製の本体から分離して分別処理する必要があり、手間がかかるという問題がある。そのため、一緒に焼却廃棄されることも多く、環境に悪影響を与えるおそれがある。
【０００５】
ところで、蓋閉鎖用紐掛け具は、紐付き紐掛け具から掛け紐を延ばして、その掛け紐を、両方の紐掛け具に渡して、それらの張付基材と掛止盤との中心部の回りに巻掛けて蓋を閉じる使用が一般的である。蓋を確実に閉鎖するためには、掛け紐が張付基材及び掛止盤に対して確実に結合されている必要があり、また、張付基材と掛止盤との間の付着が確実に為されている必要がある。
【０００６】
環境に対する観点から、張付基材と掛止盤とを紙製にすることも考えられるが、それでは、十分な強度及び結合力が得られない。掛け紐が外れたり、張付基材と掛止盤との間の結合が外れる可能性があると、蓋閉鎖用紐掛け具としての機能を失うために、製品として不十分である。
【０００７】
本発明はかかる課題に鑑みなされたもので、環境に対して悪影響を与えることなく、且つ蓋閉鎖用紐掛け具としての十分な強度を持つ蓋閉鎖用紐掛け具を提供することをその目的とする。
【０００８】
【課題を解決するための手段】
前述した目的を達成するために、請求項１記載の発明は、蓋を閉じるために用いられて、裏面に接着層を有する張付基材と、該張付基材の表側と中心部において付着されて重ね合わされた掛止盤と、からなる一対の紐掛け具からなり、一方の紐掛け具は、前記張付基材と掛止盤との間に掛け紐が一緒に付着されてなる蓋閉鎖用紐掛け具において、
少なくともいずれかの紐掛け具の前記張付基材及び掛止盤は、生分解性エマルジョンからなるコーティング層が形成された紙からなり、張付基材及び掛止盤とは、生分解性エマルジョンのコーティング層同士が高周波ウエルダによって接着されることにより、結合されてなるものであることを特徴とする。
【０００９】
また、請求項２記載の発明は、蓋を閉じるために用いられて、裏面に接着層を有する張付基材と、該張付基材の表側と中心部において付着されて重ね合わされた掛止盤と、からなる一対の紐掛け具からなり、一方の紐掛け具は、前記張付基材と掛止盤との間に掛け紐が一緒に付着されてなる蓋閉鎖用紐掛け具において、少なくともいずれかの紐掛け具の前記張付基材及び掛止盤は、生分解性プラスチックまたは生分解性プラスチックと紙とが接着層を介して重ね合わされたものからなり、張付基材及び掛止盤とは、生分解性プラスチック同士が高周波ウエルダによって接着されることにより、結合されてなるものであることを特徴とする。
【００１０】
また、請求項３記載の発明は、蓋を閉じるために用いられて、裏面に接着層を有する張付基材と、該張付基材の表側と中心部において付着されて重ね合わされた掛止盤と、からなる一対の紐掛け具からなり、一方の紐掛け具は、前記張付基材と掛止盤との間に掛け紐が一緒に付着されてなる蓋閉鎖用紐掛け具において、
少なくともいずれかの紐掛け具の前記張付基材及び掛止盤のいずれか一方は、生分解性プラスチックまたは生分解性プラスチックと紙とが接着層を介して重ね合わされたものからなり、前記張付基材及び掛止盤の他方は、生分解性エマルジョンからなるコーティング層が形成された紙からなり、張付基材及び掛止盤とは、生分解性プラスチックと生分解性エマルジョンのコーティング層とが高周波ウエルダによって接着されることにより、結合されてなるものである。
【００１１】
また、請求項４記載の発明は、請求項１ないし３のいずれかに記載の蓋閉鎖用紐掛け具の製造方法であって、
剥離紙によってその接着層が保護された第１のシートを用意し、その第１のシートから張付基材となる部分以外を除去して、電極板に載置する工程と、
前記張付基材となる部分に対して必要に応じてその中心部に掛け紐を載置する工程と、
第２のシートを用意し、掛止盤となる部分に切れ込みを入れて、該第２のシートを、第１のシートの上に張付基材となる部分と掛止盤となる部分の中心部を合わせて載置する工程と、
第２のシートの上から、張付基材となる部分と掛止盤となる部分の中心部に電極を当てて、高周波ウエルダを行って中心部を接着する工程と、
前記第２のシートから掛止盤以外の部分を除去する工程と、
からなることを特徴とする。
【００１２】
生分解性エマルジョンのコーティング層同士、生分解性プラスチック同士または、生分解性プラスチックと生分解性エマルジョンのコーティング層とが高周波ウエルダによって接着することにより、ホットメルトのような接着剤によって接着した場合に比較して十分に高い接着力を持たせることができる。高周波ウエルダは、従来、塩化ビニールのような熱可塑性プラスチック同士の接着に使用されるものであるが、発明者は、生分解性エマルジョンによるコーティング層同士、生分解性プラスチック同士または、生分解性エマルジョンによるコーティング層と生分解性プラスチックとが、高周波ウエルダによって接着できることを見出して、本発明を完成させたものである。高周波ウエルダを使用することにより、高い接着強度が保て、短い作業時間で接着され、温度によって接着強度の影響を受けにくく、張付基材と掛止盤の面に垂直な力に対する強度において、格段の向上が得られる。この蓋閉鎖用紐掛け具を廃棄する場合には、基本的に紙、生分解性エマルジョンまたは生分解性プラスチックから構成されているために、環境に与える負担の少ない形で処分することができる。
【００１３】
【発明の実施の形態】
以下、図面を用いて本発明の実施の形態を説明する。本発明は下記実施形態に限定されるものではない。
【００１４】
図１及び図２は、本発明の蓋閉鎖用紐掛け具の第１実施形態を表す図である。この蓋閉鎖用紐掛け具は、紐付き紐掛け具１０と紐無し紐掛け具２０とが対になって１組となる。図示の例では、複数組（図の例では、１０組）が、１枚の剥離紙３０上に取り外し可能に並列されており、この剥離紙３０から適宜、１組を取り外して、図５に示すように、紐付き紐掛け具１０を封筒の蓋に、紐無し紐掛け具２０を封筒の蓋以外の部分に貼付して使用するものである。
【００１５】
図２（ａ）、（ｂ）は、紐付き紐掛け具１０及び紐無し紐掛け具２０のそれぞれの断面図である。図において、紐付き紐掛け具１０及び紐無し紐掛け具２０は、大略的にそれぞれ、張付基材１２、２２と、掛止盤１６、２６とを有している。
【００１６】
張付基材１２、２２は、基本的に紙製であり、円盤形状をなしており、剥離紙３０に対して剥離可能となった接着層１３、２３を裏面に有している。また、張付基材１２、２２の表面には、生分解性エマルジョンを塗布して被覆した生分解性エマルジョンのコーティング層１４、２４が形成されている。
【００１７】
一方の掛止盤１６、２６も、基本的に紙製であり、張付基材１２、２２とほぼ同形の円盤形状をなしている。そして、その裏面は、生分解性エマルジョンを塗布して被覆した生分解性エマルジョンのコーティング層１７、２７が形成されている。
【００１８】
紐付き紐掛け具１０の前記張付基材１２と掛止盤１６は、互いの中心部において、掛け紐３２と一緒に、それぞれのコーティング層１４とコーティング層１７とが互いに高周波ウエルダによって接着されている。よって、掛け紐３２は、コーティング層１４とコーディング層１７とに挟まれて張付基材１２及び掛止盤１６と結合されている。
【００１９】
紐無し紐掛け具２０の前記張付基材２２と掛止盤２６も、同様に、互いの中心部において、それぞれのコーティング層２４とコーティング層２７とが互いに高周波ウエルダによって接着されている。
【００２０】
以上のように構成される蓋閉鎖用紐掛け具の紐付き紐掛け具１０と紐無し紐掛け具２０は、使用時には、図５に示すように、それぞれ剥離紙３０から剥離されて、封筒等の適所に粘着される。そして、公知のように、紐付き紐掛け具１０から伸びる掛け紐３２を紐無し紐掛け具２０の張付基材２２と掛止盤２６の中心部の回りに巻掛け、さらに、紐付き紐掛け具１０の張付基材１２及び掛止盤１６の中心部の回りに巻掛けて、何重に巻渡して、蓋を閉鎖することができる。
【００２１】
紐付き紐掛け具１０及び紐無し紐掛け具２０の中心部は、それぞれ生分解性エマルジョンのコーティング層１４、１７同士及び２４、２７同士が高周波ウエルダによって接着されているため、張付基材１２、２２及び掛止盤１６、２６の面と平行なせん断方向の力に対してのみならず、張付基材１２、２２及び掛止盤１６、２６の面に垂直な方向の力に対しても強い結合力を呈することができ、張付基材１２、２２と掛止盤１６、２６とが簡単に外れることはない。
【００２２】
また、この蓋閉鎖用紐掛け具を廃棄する場合に、蓋閉鎖用紐掛け具は、主として紙から構成されており、封筒等の紙製本体と共に焼却処分を行うことができる。生分解性コーティング層に関しても、有害なガスを発生することなく、焼却炉への負担を少なく処分することができる。さらには、蓋閉鎖用紐掛け具は、主として紙で構成されているために、低コストで製造することができる。
【００２３】
次に、図３（ａ）、（ｂ）は、本発明の第２実施形態に係る蓋閉鎖用紐掛け具の紐付き紐掛け具４０及び紐無し紐掛け具５０のそれぞれの断面図である。図において、紐付き紐掛け具４０及び紐無し紐掛け具５０は、大略的にそれぞれ、張付基材４２、５２と、掛止盤４６、５６とを有している。
【００２４】
張付基材４２、５２は、基本的に生分解性プラスチックフィルムであり、円盤形状をなしており、剥離紙３０に対して剥離可能となった接着層４３、５３を裏面に有している。
【００２５】
一方、掛止盤４６、５６は、紙４７、５７と生分解性プラスチックフィルム４８、５８とが接着層４９、５９を介して重ね合わされたものからなり、張付基材４２、５２とほぼ同形の円盤形状をなしている。
【００２６】
紐付き紐掛け具４０の前記張付基材４２と掛止盤４６は、互いの中心部において、掛け紐３２と一緒に、張付基材４２を構成する生分解性プラスチックフィルムと、掛止盤４６の生分解性プラスチックフィルム４８とが互いに高周波ウエルダによって接着されている。よって、掛け紐３２は、張付基材４２と生分解性プラスチックフィルム４８とに挟まれて張付基材４２及び掛止盤４６と結合されている。
【００２７】
紐無し紐掛け具５０の前記張付基材５２と掛止盤５６も、同様に、互いの中心部において、張付基材５２を構成する生分解性プラスチックフィルムと、掛止盤５６の生分解性プラスチックフィルム５８とが互いに高周波ウエルダによって接着されている。
【００２８】
以上のように構成される蓋閉鎖用紐掛け具の紐付き紐掛け具４０と紐無し紐掛け具５０も、第１実施形態と同様に使用することができる。蓋閉鎖用紐掛け具を廃棄する場合に、蓋閉鎖用紐掛け具は、主として紙と生分解性プラスチックとから構成されており、封筒等の紙製本体と共に焼却処分を行っても、有害なガスを発生することなく、焼却炉への負担を少なく処分することができる。また、生分解性プラスチック同士を高周波ウエルダによって接着しているために、非常に強い付着力を呈することができる。
【００２９】
次に、図４（ａ）、（ｂ）は、本発明の第３実施形態に係る蓋閉鎖用紐掛け具の紐付き紐掛け具６０及び紐無し紐掛け具７０のそれぞれの断面図である。図において、紐付き紐掛け具６０及び紐無し紐掛け具７０は、大略的にそれぞれ、張付基材６２、７２と、掛止盤６６、７６とを有している。
【００３０】
張付基材６２、７２は、基本的に生分解性プラスチックフィルムであり、円盤形状をなしており、剥離紙３０に対して剥離可能となった接着層６３、７３を裏面に有している。
【００３１】
一方、掛止盤６６、７６も、同様に、基本的に生分解性プラスチックからなり、円盤形状をなしている。この掛止盤６６、７６も、張付基材６２、７２と同様の材料を用いることができるが、その厚みが張付基材６２、７２よりも厚くなっているとよい。
【００３２】
紐付き紐掛け具６０の前記張付基材６２と掛止盤６６は、互いの中心部において、掛け紐３２と一緒に、張付基材６２を構成する生分解性プラスチックフィルムと、掛止盤６６を構成する生分解性プラスチックとが互いに高周波ウエルダによって接着されている。よって、掛け紐３２は、張付基材６２と掛止盤６６とに挟まれてこれらと結合されている。
【００３３】
紐無し紐掛け具７０の前記張付基材７２と掛止盤７６も、同様に、互いの中心部において、張付基材７２を構成する生分解性プラスチックフィルムと、掛止盤７６を構成する生分解性プラスチックとが互いに高周波ウエルダによって接着されている。
【００３４】
以上のように構成される蓋閉鎖用紐掛け具の紐付き紐掛け具６０と紐無し紐掛け具７０も、第１及び第２実施形態と同様に使用することができる。蓋閉鎖用紐掛け具を廃棄する場合に、蓋閉鎖用紐掛け具は、主として生分解性プラスチックから構成されており、封筒等の紙製本体と共に焼却処分を行っても、有害なガスを発生することなく、焼却炉への負担を少なく処分することができる。また、生分解性プラスチック同士を高周波ウエルダによって接着しているために、非常に強い付着力を呈することができる。
【００３５】
以上の蓋閉鎖用紐掛け具の製造方法について図６ないし図１０を参照して説明する。尚、この製造方法については、第３実施形態の製造方法について説明するが、いずれの実施形態についても、同様の手順で製造することができる。
【００３６】
まず、剥離紙３０によって接着層が保護された生分解性プラスチックフィルムの接着されたシートＳ１を用意する。そして、そのシートＳ１に対して、２列×１０行に配列された円形の切れ込みを入れて、円形部分以外の生分解性プラスチックフィルムの部分を除去し、円形部分のみ残ったシートＳ１及び剥離紙３０を電極板Ｐの上に載置する（図６）。
【００３７】
また、シートＳ１に残された２列×１０行に配列された円のうちの半分の行に対して、円形の中心を通るようにして、掛け紐３２を載置する。このとき、同一の行に属する２つの円形部分に渡って掛け紐３２を掛け渡す（図７）。
【００３８】
また、前記生分解性プラスチックフィルムと同じ平面形状を持ち、プラスチックフィルムよりは厚い生分解性プラスチックシートＳ２を用意する。そして、シートＳ２に対して、先と同じ２列×１０行に配列された円形の部分切れ込みを入れる（図８）。
【００３９】
次に、シートＳ２をシートＳ１の上に、それぞれの円形が一致するようにして重ね合わせて載置する。
【００４０】
そして、シートＳ１とシートＳ２の円形部分の中心部に電極Ｅを当てて、電極板Ｐとの間で高周波電圧を印加して、接着する。電極Ｅは、一度にすべての円形部分に当てると効率的である（図９）。また、このとき同時に、シートＳ２の円形部分のやや内側に円形の折れ目を入れて、円形部分の外縁部分を上側にやや反らすように成形するとよい。
【００４１】
最後に、シートＳ２のうちの円形部分以外の不要部分を除去する。予め円形の切れ込みが入っているので、これに従って簡単に除去することができる（図１０）。
【００４２】
こうして、シートＳ１の各円形部分が張付基材となり、シートＳ２の各円形部分が掛止盤となり、張付基材と掛止盤が互いの中心部において付着される。また、各シートの複数の円形部分のうち、半分の円形部分について掛け紐が中心部において一緒に付着され、紐付き紐掛け具となる。また、掛け紐が渡されなかったものは紐無し紐掛け具となり、１つの紐付き紐掛け具と紐無し紐掛け具とからなる一対の紐掛け具で、蓋閉鎖用紐掛け具が構成される。同一行の２つの円形部分に渡ってそれぞれに結合された掛け紐３２を２つの円形部分の間で切断する。尚、この例では２列×１０行としたが、任意の行数とすることができる。列に関しては、２列として、１つの掛け紐を共通に掛け渡して製造すると効率的である。
【００４３】
高周波ウエルダは、従来、塩化ビニールのような熱可塑性プラスチック同士の接着に使用されるものであるが、発明者は、生分解性エマルジョンによるコーティング層同士、生分解性プラスチック同士または、生分解性エマルジョンによるコーティング層と生分解性プラスチックとが、高周波ウエルダによって接着できることを見出した。高周波ウエルダを使用して紐付き紐掛け具及び紐無し紐掛け具の中心部を接着することによって、例えば、紙製の張付基材及び掛止盤にプラスチックコーディングを行った後、ホットメルト接着剤によって接着する場合に比較して、１．高い接着強度が保てる、２．短い作業時間で接着される、３．温度による接着強度の影響を受けにくい、４．張付基材と掛止盤の面に垂直な力に対する強度において、格段の向上が得られる、といった長所がある。高周波ウエルダによって接着する組み合わせとして、生分解性エマルジョンによるコーティング層とするか、または生分解性プラスチックとするかは、その素材に応じて高い強度が得られるものを適宜選択するとよい。
【００４４】
尚、以上の実施形態に説明した、張付基材と掛止盤との組合せに限らず、張付基材１２（２２）、４２（５２）、６２（７２）と、掛止盤１６（２６）、４６（５６）、６６（７６）との間で任意の組合せが可能であり、例えば、張付基材１２（２２）と掛止盤４６（５６）または掛止盤６６（７６）、または、張付基材４２（５２）または張付基材６２（７２）と掛止盤１６（２６）と組み合わせることもできる。また、一対の紐掛け具を構成する紐付き紐掛け具と紐無し紐掛け具とがそれぞれ、張付基材と掛止盤の異なる組合せのものからなっていてもよい。
【００４５】
【発明の効果】
以上説明したように、本発明によれば、環境に対して悪影響を与えることなく、且つ高周波ウエルダによって結合強度の高いものとすることができる。
【図面の簡単な説明】
【図１】本発明の第１実施形態の蓋閉鎖用紐掛け具を表す斜視図である。
【図２】（ａ）は第１実施形態の紐付き紐掛け具、（ｂ）は紐無し紐掛け具の断面図である。
【図３】（ａ）は第２実施形態の紐付き紐掛け具、（ｂ）は紐無し紐掛け具の断面図である。
【図４】（ａ）は第３実施形態の紐付き紐掛け具、（ｂ）は紐無し紐掛け具の断面図である。
【図５】本発明の蓋閉鎖用紐掛け具の使用状態を表す斜視図である。
【図６】本発明の蓋閉鎖用紐掛け具の製造手順を表す斜視図である。
【図７】本発明の蓋閉鎖用紐掛け具の製造手順を表す斜視図である。
【図８】本発明の蓋閉鎖用紐掛け具の製造手順を表す斜視図である。
【図９】本発明の蓋閉鎖用紐掛け具の製造手順を表す斜視図である。
【図１０】本発明の蓋閉鎖用紐掛け具の製造手順を表す斜視図である。
【符号の説明】
１０、４０、６０  紐付き紐掛け具
２０、５０、７０  紐無し紐掛け具
１２、２２、４２、５２、６２、７２  張付基材
１６、２６、４６、５６、６６、７６  掛止盤
１３、２３、４３、５３、６３、７３  接着層
１４、１７、２４、２７  生分解性エマルジョンからなるコーティング層
３０  剥離紙
３２  掛け紐
４９、５９  接着層
【図１】
2004167960.tif 000003
【図２】
2004167960.tif 000004
【図３】
2004167960.tif 000005
【図４】
2004167960.tif 000006
【図５】
2004167960.tif 000007
【図６】
2004167960.tif 000008
【図７】
2004167960.tif 000009
【図８】
2004167960.tif 000010
【図９】
2004167960.tif 000011
【図１０】
2004167960.tif 000012